(57)【要約】      （修正有）【課題】曲がりを防止し、高強度で、装飾性に富む筆記具の軸を提供する。【解決手段】軸は、その円周方向に多種類の材質のピースを強固に貼り合わせ、内部に筆記具を収納する孔を貫通させる。【選択図】図４
0003176268.tif 000002
【実用新案登録請求の範囲】
【請求項１】
一定の長さを有した複数の部材を円周方向に渡って強固に貼り合わせてなる１本の軸であって、内部には筆記部を収納できる孔を貫通したことを特長とする筆記具の軸。
【考案の詳細な説明】
【技術分野】
【０００１】  本考案は、筆記具の軸に関する、さらに詳細には一部に木材をあしらった軸に関するものである。
【背景技術】
【０００２】  従来、筆記具の軸は金属やプラスチックが比較的多く、そして軸全体が木製のものも存在する。金属やプラスチック製の軸は強度もあり、衝撃などを受けても割れにくい素材であるが、木製の軸は、それ自体の組成に起因するものであるが、金属やプラスチックに比べどうしても割れやすく変形しやすいなどの欠点を有する。従って木製の軸に関しては、割れにくい素材や加工あるいは変形しないようにする技術などに関する提案が多くなされている。
【先行技術文献】
【特許文献】
【０００３】
【特許文献１】特開２００８−２００９６８号公報
【特許文献２】特開２００９−１２３５７号公報
【特許文献３】特開２００５−８８３１９号公報
【特許文献４】特開２００７−１１２０１３号公報
【考案の概要】
【考案が解決しようとする課題】
【０００４】  自然素材として軽く、自然のぬくもりをもった手にやさしい木製の軸は、乾燥や湿気などにより使用中にそりが生じたり、使用状態によっては折れたりする破損の問題もあった。またプラスチック製の軸は量産されて価格も手ごろなものが多いがやや味気ない。【０００５】  従って多くの木製軸は、木をくりぬいた孔の内側にぴったりと補強用の金属或いはプラスチックを挿入固着せしめて木自体の割れを防いでいる。しかしながら長軸側の端面を補強部材で覆うため、木の長手表面しか露出しておらず、軸全体が木でできているという感触はやや減少する。【０００６】  また木は呼吸をしている特性があり、また湿度に対しても敏感に反応するので、どれだけ長く乾燥させた樹木でも、加工した際、これらの条件により寸法的に狂いが生じてくる。従って、木の軸の内側に補強用の部材を挿入しても、木自体の微妙な変化でそれが災いして割れを引き起こすことも稀ではない。【０００７】  木軸の割れを防ぐ方法はその他にも提案されており、木そのものを圧縮加工して強固にする方法や、木にプラスチックなどを含侵させて強度を上げる方法もあるが、圧縮加工や含侵加工においては手間がかかり、更に木本来のぬくもりが消える恐れがあるし、また焼却の際はプラスチックが含まれるので環境破壊に注意を要する。
【課題を解決するための手段】
【０００８】  本考案は、長手方向全体にわたって複数の素材を配し、強度を上げて曲がりも防止し、しかも装飾性に富む１本の筆記具の軸を提供するものである。
詳細には、あらかじめ各種素材を、ある長さを有し丸や多角形の軸の中心から一定の角度で軸外側までの断面三角形状のピースを制作するか、もしくはある長さを有し幅と高さを適宜設定した四角形ピースの両側面を削って一定の角度に制作する。
この一定の角度をたとえば６０度に設定したとすると、これらを重ね合わせると６枚でちょうど３６０度、つまり１つの棒状物体を構成する。断面三角形状のピース同士を重ねたものは内側に隙間は見えないが、断面四角形ピース同士を重ねたものは内側は空洞が存在する。
いずれも製造過程ではお互いのピースを接着剤で固着させ、その後、軸の中心孔として適当な大きさの孔を開けることで筆記具部分が収納されるようにする。
【考案の効果】
【０００９】  このように構成したので、軸の長手方向全部に渡って、金属同士、金属とプラスチック、或いは金属とプラスティックと木材、プラスチック同士、プラスチックと木材、金属と木材、木材同士、などの複数の素材の模様が現れ、装飾性に富むし、張り合わせたことで軸としての強度も格段に増し、木材同士においても合板の原理に従い曲がりやそりも防止でき、場合によっては軸内側の補強部材も不要になるなど、筆記具の軸としてきわめて有用な効果を奏するものである。また木材に限ってみれば、軸の一部分を１ピースとして制作するので、極めて小さな木材も利用可能であり、つまり端材利用ができるという環境対策にも大変貢献できるといった特長を有する。
【図面の簡単な説明】
【００１０】
【図１】一例として本考案の軸を使った筆記具を示す図
【図２】一例として本考案の筆記具の軸のための断面３角形ピースを示す図
【図３】一例として本考案の断面３角形ピースを合わせた軸の断面を示す図
【図４】一例として本考案の断面３角形ピースを合わせた軸に孔を開けた図
【図５】一例として本考案の筆記具の軸のための断面四角形ピースを示す図
【図６】一例として本考案の断面四角形ピースを合わせた軸の断面を示す図
【図７】一例として本考案の断面四角形ピースを合わせた軸に孔を開けた図
【図８】一例として本考案の丸軸で２ピース構成の軸を示す図
【考案を実施するための形態】
【００１１】  以下に、図面を参照して、本考案を適用した筆記具の軸の形態を説明する。
【実施例】
【００１２】  図１は、本考案に係る筆記具を示しており、（１）は軸を表している。【００１３】  図２は、軸を構成する１ピースの実施例を示すが、断面３角形のピース（１ａ）であり、その断面の一端から６辺に向けて頂角６０度の３角形が（１ａ）、（１ｂ）、（１ｃ）、（１ｄ）、（１ｅ）、（１ｆ）と６つ構成され、ひとつの軸素材を構成する（図３）。このそれぞれの３角形断面を保って軸先端まで加工した６つのピースを強固に貼り合わせ、適当な寸法の内孔を開けることで一つの筆記具の軸が出来上がる（図４）。【００１３】  図５は側面に６０度で角度を付けた断面四角形状のピースであるが、この角度を付けた部分同士を強固に貼り合わされて構成したものが断面６角形の軸である（図６）。この内側に適当な寸法で孔を開けることで一つの筆記具の軸ができあがる。【００１４】  筆記具の軸として使用するのに適した外形は、上述の６角形はもちろん、３角形〜１０角形まで広く適用でき、もちろん外側も研磨して丸形にもできる。
従って、一つの軸に貼り合わされるピースの数は２個から１０個程度が好ましく、１１個以上のピースの組み合わせでは装飾性や強度などでやや信頼性が落ちることとなる。【００１５】  軸の素材であるが、まず木材の材質としては、唐木（からき）と呼ばれて珍重される紫檀（したん）、黒檀（こくたん）、花櫚（かりん）、鉄刀木（たがやさん）、白檀（びゃくだん）などが固くて強靭、しかも半永久的な耐久力を持ち、肌理のち密さ、油脂感触の出る光沢など、筆記具の軸に適した素材として最も好ましいが、唐木以外の銘木、たとえば桑や柘植など日本古来の樹木でも良い。またアクリルやその他のプラスチック素材でも良く、さらにステンレスやチタン、或いは金、銀素材或いは鍍金を施した金属素材でも良い。【００１６】  各ピース同士の貼り合わせに際しては、異なった種類の木同士、或いは木とプラスチック、木と金属、プラスチックと金属など、いくつものパターンが可能である。ただし、木材同士で２ピースの組み合わせは避けたい。なぜならば、そりや曲がりの強い木材とそりや曲がりが少ない木材を貼り合わせると、どうしてもそりや曲がりの強い木材の性質に引っ張られ、結果的にそりや曲がりを生ずる要因となるからである。従って、木材同士の貼り合わせに限っては３ピース以上の貼り合わせが望ましい。【００１７】  図８においては小さめの角度の第一ピース（１ｇ）と大きめの角度の第二ピース（１ｈ）を貼り合わせた軸の一例を示しており、たとえば第一ピースはプラスチック、第二ピースは黒檀などの組み合わせも可能であり、プラスチックの豊かな着色性を発揮した装飾性豊かな軸も実現でき、またそれぞれの素材はまったく異なるものでも良いが、木材に関しては強度的に１２０度以下の角度のピースを使用するのが好ましい。
【符号の説明】
【００１８】１    筆記具の軸
１ａ、１ａ‘  第一ピース
１ｂ、１ｂ‘  第二ピース
１ｃ、１ｃ‘  第三ピース
１ｄ、１ｄ‘  第四ピース
１ｅ、１ｅ‘  第五ピース
１ｆ、１ｆ‘  第六ピース
１ｇ  ２ピース構成時の第一ピース
１ｈ  ２ピース構成時の第二ピース
【図１】
0003176268.tif 000003
【図２】
0003176268.tif 000004
【図３】
0003176268.tif 000005
【図４】
0003176268.tif 000006
【図５】
0003176268.tif 000007
【図６】
0003176268.tif 000008
【図７】
0003176268.tif 000009
【図８】
0003176268.tif 000010